(57)【特許請求の範囲】
【請求項１】
画素電極を有した第１基板と、共通電極を有した第２基板と、前記第１基板及び第２基板間に挟持された液晶層と、前記第１基板、第２基板及び液晶層に重なった表示領域と、前記表示領域に設けられ第１方向に沿った長さが第１方向に直交する第２方向に沿った長さよりも短く前記画素電極及び共通電極で形成された画素と、を具備し、前記画素電極は前記第２方向に長手方向を持つ主画素電極を有し十字状又はＩ字状に形成され、前記共通電極は前記第１方向に前記主画素電極を挟んで位置し前記第２方向に長手方向を持つ一対の主共通電極を有した液晶表示パネルと、
前記表示領域に重なった入力領域を有し、前記入力領域に入力された個所の位置情報を検出するセンシング基板と、
前記表示領域及び入力領域に重ねられ、前記液晶表示パネル及びセンシング基板間に位置し、前記液晶表示パネル及びセンシング基板を接合する接着材と、を備え、
前記画素電極が前記十字状に形成されている場合、前記画素電極は前記第１方向に延出して形成された副画素電極をさらに有し、前記共通電極は前記第２方向に前記副画素電極を挟んで位置し前記第１方向に延出して形成された一対の副共通電極をさらに有し、
前記画素電極が前記Ｉ字状に形成されている場合、前記画素電極は前記主画素電極の一端部に位置し前記第１方向に延出して形成された第１副画素電極と前記主画素電極の他端部に位置し前記第１方向に延出して形成された第２副画素電極とをさらに有し、前記共通電極は前記第１副画素電極と前記第２副画素電極との間に位置し前記第１方向に延出して形成された副共通電極をさらに有していることを特徴とする液晶表示装置。
【請求項２】
前記液晶層は、正の誘電率異方性を有していることを特徴とする請求項１に記載の液晶表示装置。
【請求項３】
前記第１基板には前記画素電極を覆う第１配向膜を備え、前記第２基板には前記共通電極を覆う第２配向膜を備え、前記第１配向膜に配向処理した第１配向処理方向は前記画素電極の対称軸に対して平行であり、前記第２配向膜に配向処理した第２配向処理方向は前記共通電極の対称軸に対して平行であることを特徴とする請求項１または２に記載の液晶表示装置。
【請求項４】
前記液晶層は、負の誘電率異方性を有していることを特徴とする請求項１に記載の液晶表示装置。
【請求項５】
前記接着材は、可視光を透過する材料で形成されていることを特徴とする請求項１に記載の液晶表示装置。
【請求項６】
前記センシング基板に対向した保護板と、
前記表示領域及び入力領域に重ねられ、前記センシング基板及び保護板間に位置し、前記センシング基板及び保護板を接合する他の接着材と、をさらに備えたことを特徴とする請求項１に記載の液晶表示装置。
【発明の詳細な説明】
【技術分野】
【０００１】
本発明の実施形態は、液晶表示装置に関する。
【背景技術】
【０００２】
平型の表示装置としての液晶表示装置は、大画面テレビ、ＰＣ（パーソナルコンピュータ）、ＦＡ（ファクトリーオートメーション）、ＯＡ（オフィス−オートメーション）機器、カーナビゲーションシステム、携帯電話、スマートフォン、タブレットＰＣなど、多用途に利用されている。液晶表示装置の表示モードとしてはＭＶＡ（Multi-domain Vertical Alignment）モード及びＦＦＳ（Fringe Field Switching）モードが開発され、液晶表示装置の表示性能が改善されている。
【０００３】
ＭＶＡモードの液晶表示装置は、ＦＦＳモードの液晶表示装置に比べ、大画面にわたって高コントラストで均一な表示が得やすく、また比較的高透過率である。このため、ＭＶＡモードの液晶表示装置は、大画面テレビから携帯電話などの小型モバイル用途まで幅広く利用されている。
【０００４】
液晶表示装置は、液晶表示パネルと、センシング基板と、保護板とを有している。液晶表示パネル及びセンシング基板の接合、並びにセンシング基板及び保護板の接合には、反射による見栄えの悪化が起こるエアーギャップ方式ではなく、スクリーンフィット方式を採用することが検討されている。例えば、液晶表示パネル及びセンシング基板間において、エアーギャップ方式では空気の層が存在するのに対し、スクリーンフィット方式では接着剤が介在されることになる。
【先行技術文献】
【特許文献】
【０００５】
【特許文献１】特開２００８−２６５８４号公報
【特許文献１】特開２００９−１９２８２２号公報
【発明の概要】
【発明が解決しようとする課題】
【０００６】
ところで、ＭＶＡモードの液晶表示装置は、ｎ型液晶を使用し、電圧を印加させて電界の法線方向に液晶を動作させている。ｎ型液晶は、液晶分子の配向方位を規定する極角及び方位角において、電界によって極角しか規定できない。液晶分子の配向規制力（配向強度）は弱いため、保護板に押し圧を加えたときにプーリングと呼ばれる液晶分子の配向乱れが発生し易い問題がある。
【０００７】
一方、ｐ型液晶において、液晶分子は電界に対して平行な方向に動作し、電界によって極角及び方位角の両方を規定できる。液晶分子の配向規制力は強いため、プーリングが発生し難い特徴がある。
【０００８】
ＩＰＳ（In-Plane Switching）モード及びＦＦＳ（Fringe Field Switching）モードの液晶表示装置は、ｐ型液晶を使用している。しかし、ＩＰＳモード及びＦＦＳモードの液晶表示装置は、横電界により、液晶分子を基板の平面に沿った方向に動作させるため、極角を規定し難い問題がある。このため、外圧が加えられても、プーリングの発生し難い液晶表示装置が求められている。  
この発明は以上の点に鑑みなされたもので、その目的は、プーリングの発生し難い液晶表示装置を提供することにある。
【課題を解決するための手段】
【０００９】
一実施形態に係る液晶表示装置は、
画素電極を有した第１基板と、共通電極を有した第２基板と、前記第１基板及び第２基板間に挟持された液晶層と、前記第１基板、第２基板及び液晶層に重なった表示領域と、前記表示領域に設けられ第１方向に沿った長さが第１方向に直交する第２方向に沿った長さよりも短く前記画素電極及び共通電極で形成された画素と、を具備し、前記画素電極は前記第２方向に長手方向を持つ主画素電極を有し、前記共通電極は前記第１方向に前記主画素電極を挟んで位置し前記第２方向に長手方向を持つ一対の主共通電極を有した液晶表示パネルと、
前記表示領域に重なった入力領域を有し、前記入力領域に入力された個所の位置情報を検出するセンシング基板と、
前記表示領域及び入力領域に重ねられ、前記液晶表示パネル及びセンシング基板間に位置し、前記液晶表示パネル及びセンシング基板を接合する接着材と、を備えたことを特徴としている。
【図面の簡単な説明】
【００１０】
【図１】図１は、一実施形態に係る液晶表示装置を概略的に示す分解斜視図である。
【図２】図２は、上記液晶表示装置を概略的に示す断面図である。
【図３】図３は、上記液晶表示装置が入力手段により押圧されている状態を示す図である。
【図４】図４は、上記液晶表示装置の液晶表示パネルの構成及び等価回路を概略的に示す図である。
【図５】図５は、上記液晶表示パネルを対向基板側から見たときの一画素の構造例を概略的に示す平面図である。
【図６】図６は、図５の線ＶＩ−ＶＩで切断したときの断面構造を概略的に示す液晶表示パネルの断面図である。
【図７】図７は、図５に示した液晶表示パネルにおける画素電極と共通電極との間に形成される電界、及び、この電界による液晶分子のダイレクタと透過率との関係を説明するための図である。
【図８】図８は、図１乃至３に示したセンシング基板の一部を示す拡大平面図である。
【図９】図９は、図８の線ＩＸ−ＩＸに沿って示すセンシング基板の一部を示す断面図である。
【図１０】図１０は、図４に示した液晶表示パネルを対向基板側から見たときの一画素の他の構造例を概略的に示す平面図である。
【図１１】図１１は、図４に示した液晶表示パネルを対向基板側から見たときの一画素の他の構造例を概略的に示す平面図である。
【図１２】図１２は、図４に示した液晶表示パネルを対向基板側から見たときの一画素の他の構造例を概略的に示す平面図である。
【図１３】図１３は、図４に示した液晶表示パネルを対向基板側から見たときの一画素の他の構造例を概略的に示す平面図である。
【発明を実施するための形態】
【００１１】
以下、図面を参照しながら一実施形態に係る液晶表示装置について詳細に説明する。なお、各図において、同一又は類似した機能を発揮する構成要素には同一の参照符号を付し、重複する説明は省略する。
【００１２】
図１は、一実施形態に係る液晶表示装置を概略的に示す分解斜視図である。図２は、上記液晶表示装置を概略的に示す断面図である。図３は、上記液晶表示装置が入力手段により押圧されている状態を示す図である。
【００１３】
図１及び図２に示すように、液晶表示装置は、液晶表示パネルＬＰＮと、センシング基板３０と、保護板４０と、接着材５０、６０と、を備えている。  
液晶表示パネルＬＰＮは、画像を表示する表示領域Ｒ１を有している。センシング基板３０は、液晶表示パネルＬＰＮの表示面に対向している。センシング基板３０は、表示領域Ｒ１に重なった入力領域Ｒ２を有している。センシング基板３０は、タッチパネルとしての機能を備え、入力領域Ｒ２に入力された個所の位置情報を検出する。
【００１４】
接着材５０は、少なくとも表示領域Ｒ１及び入力領域Ｒ２に重ねられ、液晶表示パネルＬＰＮ及びセンシング基板３０間に位置し、液晶表示パネルＬＰＮ及びセンシング基板３０を接合するものである。上記のように、液晶表示パネルＬＰＮとセンシング基板３０の間に透明樹脂からなる接着材を充填して基板を一体化するスクリーンフィット方式が採用されている。
【００１５】
接着材５０は、少なくとも可視光を透過する材料で形成されている。また、接着材５０は、紫外線や可視光で硬化するタイプの樹脂や、加熱されることにより硬化するタイプの樹脂で形成することができる。さらに、接着材５０は、後述する第２絶縁基板２０（対向基板ＣＴ）の屈折率と、後述するガラス基板３０Ｓ（センシング基板３０）の屈折率の間の屈折率を有していてもよい。これにより、接着材５０の表面（界面）における光の反射を低減することができる。
【００１６】
保護板４０は、センシング基板３０に対向している。保護板４０は、センシング基板３０の入力面（液晶表示パネルＬＰＮの表示面）側を装飾するものであり、すなわち液晶表示装置の外観を飾るものである。保護板４０は、平型であり、ガラスやアクリル樹脂などの透明な絶縁材料で形成されている。ここでは、保護板４０は、さらに矩形状に形成されている。保護板４０は、表示領域Ｒ１及び入力領域Ｒ２から外れた額縁領域を有している。保護板４０の額縁領域には、周辺遮光層が形成されている。周辺遮光層は、黒色の樹脂などを利用して形成することができる。
【００１７】
接着材６０は、表示領域Ｒ１及び入力領域Ｒ２に重ねられ、センシング基板３０及び保護板４０間に位置し、センシング基板３０及び保護板４０を接合するものである。接着材６０は、少なくとも可視光を透過する材料で形成されている。上記のように、センシング基板３０及び保護板４０の接合には、スクリーンフィット方式が採用されている。
【００１８】
また、接着材６０は、紫外線や可視光で硬化するタイプの樹脂や、加熱されることにより硬化するタイプの樹脂で形成することができる。さらに、接着材６０は、ガラス基板３０Ｓ（センシング基板３０）の屈折率と、保護板４０の屈折率の間の屈折率を有していてもよい。これにより、接着材６０の表面（界面）における光の反射を低減することができる。
【００１９】
図２及び図３に示すように、センシング基板３０の位置検出方式としては、静電容量方式、抵抗感圧方式、光検出方式、電磁誘導方式などを利用することができる。入力手段１００としては、操作者の指や導体などを挙げることができ、位置検出方式に合ったものを選択すればよい。何れの方式においても、保護板４０の外面に入力手段１００により外圧が加えられる。保護板４０の外面は、入力手段１００で叩かれたり、押されたり、スライドされたりする。上記のように、外圧が加えられることで、センシング基板３０は入力された個所の位置情報を検出することができる。
【００２０】
液晶表示装置は、上記のようにスクリーンフィット方式を採用しているため、エアーギャップ方式を採用した場合に比べ、保護板４０の外面に加えられる外圧は、よりダイレクトに液晶表示パネルＬＰＮに伝えられる。そして、後述する液晶層ＬＱの層厚が変化することとなる。しかしながら、後述するように液晶表示パネルＬＰＮを構成することにより、プーリング等が発生し難く、表示品位の低下を低減でき、さらに入力している文字、絵等を正常に表示できる液晶表示パネルＬＰＮが得られるものである。
【００２１】
図４は、上記液晶表示装置の液晶表示パネルＬＰＮの構成及び等価回路を概略的に示す図である。  
図４に示すように、液晶表示パネルＬＰＮは、アクティブマトリクスタイプの液晶表示パネルである。液晶表示パネルＬＰＮは、第１基板であるアレイ基板ＡＲと、アレイ基板ＡＲに対向して配置された第２基板である対向基板ＣＴと、これらのアレイ基板ＡＲと対向基板ＣＴとの間に保持された液晶層ＬＱと、を備えている。このような液晶表示パネルＬＰＮは、アレイ基板ＡＲ、対向基板ＣＴ及び液晶層ＬＱに重なり、画像を表示する表示領域Ｒ１を備えている。この表示領域Ｒ１には、ｍ×ｎ個のマトリクス状に配置された複数の画素ＰＸが設けられている（但し、ｍ及びｎは正の整数である）。
【００２２】
液晶表示パネルＬＰＮは、表示領域Ｒ１において、ｎ本のゲート配線Ｇ（Ｇ１〜Ｇｎ）、ｎ本の補助容量線Ｃ（Ｃ１〜Ｃｎ）、ｍ本のソース配線Ｓ（Ｓ１〜Ｓｍ）などを備えている。ゲート配線Ｇ及び補助容量線Ｃは、例えば、第１方向Ｘに沿って略直線的に延出している。これらのゲート配線Ｇ及び補助容量線Ｃは、第１方向Ｘに交差する第２方向Ｙに沿って交互に並列配置されている。ここでは、第１方向Ｘと第２方向Ｙとは互いに略直交している。ソース配線Ｓは、ゲート配線Ｇ及び補助容量線Ｃと直交している。ソース配線Ｓは、第２方向Ｙに沿って略直線的に延出している。なお、ゲート配線Ｇ、補助容量線Ｃ、及び、ソース配線Ｓは、必ずしも直線的に延出していなくても良く、それらの一部が屈曲していてもよい。
【００２３】
各ゲート配線Ｇは、表示領域Ｒ１の外側に引き出され、ゲートドライバＧＤに接続されている。各ソース配線Ｓは、表示領域Ｒ１の外側に引き出され、ソースドライバＳＤに接続されている。これらのゲートドライバＧＤ及びソースドライバＳＤの少なくとも一部は、例えば、アレイ基板ＡＲに形成され、コントローラを内蔵した駆動ＩＣチップ２と接続されている。
【００２４】
各画素ＰＸは、スイッチング素子ＳＷ、画素電極ＰＥ、共通電極ＣＥなどで形成されている。保持容量Ｃｓは、例えば補助容量線Ｃと画素電極ＰＥとの間に形成される。補助容量線Ｃは、補助容量電圧が印加される電圧印加部ＶＣＳと電気的に接続されている。
【００２５】
なお、本実施形態においては、液晶表示パネルＬＰＮは、画素電極ＰＥがアレイ基板ＡＲに形成される一方で共通電極ＣＥの少なくとも一部が対向基板ＣＴに形成された構成であり、これらの画素電極ＰＥと共通電極ＣＥとの間に形成される電界を主に利用して液晶層ＬＱの液晶分子をスイッチングする。画素電極ＰＥと共通電極ＣＥとの間に形成される電界は、第１方向Ｘと第２方向Ｙとで規定されるＸ−Ｙ平面あるいは基板主面に対してわずかに傾いた斜め電界の成分がある横電界である。
【００２６】
スイッチング素子ＳＷは、例えば、ｎチャネル薄膜トランジスタ（ＴＦＴ）によって構成されている。このスイッチング素子ＳＷは、ゲート配線Ｇ及びソース配線Ｓと電気的に接続されている。このようなスイッチング素子ＳＷは、トップゲート型あるいはボトムゲート型のいずれであっても良い。また、スイッチング素子ＳＷの半導体層は、例えば、ポリシリコンによって形成されているが、アモルファスシリコンによって形成されていても良い。
【００２７】
画素電極ＰＥは、各画素ＰＸに配置され、スイッチング素子ＳＷに電気的に接続されている。共通電極ＣＥは、液晶層ＬＱを介して複数の画素ＰＸの画素電極ＰＥに対して共通に配置されている。このような画素電極ＰＥ及び共通電極ＣＥは、例えば、インジウム・ティン・オキサイド（ＩＴＯ）やインジウム・ジンク・オキサイド（ＩＺＯ）などの光透過性を有する導電材料によって形成されているが、アルミニウムなどの他の金属材料によって形成されても良い。
【００２８】
アレイ基板ＡＲは、共通電極ＣＥに電圧を印加するための給電部ＶＳを備えている。この給電部ＶＳは、例えば、表示領域Ｒ１の外側に形成されている。共通電極ＣＥは、表示領域Ｒ１の外側に引き出され、図示しない導電部材を介して、給電部ＶＳと電気的に接続されている。
【００２９】
図５は、上記液晶表示パネルＬＰＮを対向基板側から見たときの一画素ＰＸの構造例を概略的に示す平面図である。ここでは、Ｘ−Ｙ平面における平面図を示している。  
図５に示すように、画素ＰＸは、破線で示したように、第１方向Ｘに沿った長さが第２方向Ｙに沿った長さよりも短い長方形状である。ゲート配線Ｇ１及びゲート配線Ｇ２は、第１方向Ｘに沿って延出している。補助容量線Ｃ１は、隣合うゲート配線Ｇ１とゲート配線Ｇ２との間に配置され、第１方向Ｘに沿って延出している。ソース配線Ｓ１及びソース配線Ｓ２は、第２方向Ｙに沿って延出している。画素電極ＰＥは、隣合うソース配線Ｓ１とソース配線Ｓ２との間に配置されている。また、この画素電極ＰＥは、ゲート配線Ｇ１とゲート配線Ｇ２との間に位置している。
【００３０】
図示した例では、画素ＰＸにおいて、ソース配線Ｓ１は左側端部に配置され、ソース配線Ｓ２は右側端部に配置されている。厳密には、ソース配線Ｓ１は当該画素ＰＸとその左側に隣接する画素との境界に跨って配置され、ソース配線Ｓ２は当該画素ＰＸとその右側に隣接する画素との境界に跨って配置されている。また、画素ＰＸにおいて、ゲート配線Ｇ１は上側端部に配置され、ゲート配線Ｇ２は下側端部に配置されている。厳密には、ゲート配線Ｇ１は当該画素ＰＸとその上側に隣接する画素との境界に跨って配置され、ゲート配線Ｇ２は当該画素ＰＸとその下側に隣接する画素との境界に跨って配置されている。補助容量線Ｃ１は、画素の略中央部に配置されている。
【００３１】
スイッチング素子ＳＷは、図示した例では、ゲート配線Ｇ１及びソース配線Ｓ１に電気的に接続されている。このスイッチング素子ＳＷは、ゲート配線Ｇ１とソース配線Ｓ１の交点に設けられ、そのドレイン配線はソース配線Ｓ１及び補助容量線Ｃ１に沿って延長され、補助容量線Ｃ１と重なる領域に形成されたコンタクトホールＣＨを介して画素電極ＰＥと電気的に接続されている。このようなスイッチング素子ＳＷは、ソース配線Ｓ１及び補助容量線Ｃ１と重なる領域に設けられ、ソース配線Ｓ１及び補助容量線Ｃ１と重なる領域からほとんどはみ出すことはなく、表示に寄与する開口部の面積の低減を抑制している。
【００３２】
画素電極ＰＥは、互いに電気的に接続された主画素電極ＰＡ及びコンタクト部ＰＤを備えている。主画素電極ＰＡは、第２方向Ｙに沿った長手方向を持っている。主画素電極ＰＡは、コンタクト部ＰＤから画素ＰＸの上側端部付近及び下側端部付近まで第２方向Ｙに沿って直線的に延出している。このような主画素電極ＰＡは、第１方向Ｘに沿って略同一の幅を有する帯状に形成されている。コンタクト部ＰＤは、補助容量線Ｃ１と重なる領域に位置し、コンタクトホールＣＨを介してスイッチング素子ＳＷと電気的に接続されている。このコンタクト部ＰＤは、主画素電極ＰＡよりも幅広に形成されている。
【００３３】
このような画素電極ＰＥは、ソース配線Ｓ１とソース配線Ｓ２との略中間の位置、つまり、画素ＰＸの中央に配置されている。ソース配線Ｓ１と画素電極ＰＥとの第１方向Ｘに沿った間隔は、ソース配線Ｓ２と画素電極ＰＥとの第１方向Ｘに沿った間隔と略同等である。
【００３４】
共通電極ＣＥは、主共通電極ＣＡを備えている。画素ＰＸは、一対の主共通電極ＣＡを有している。一対の主共通電極ＣＡは、Ｘ−Ｙ平面内において、第１方向Ｘに主画素電極ＰＡを挟んで位置し、第２方向Ｙに長手方向を持っている。ここでは、主共通電極ＣＡは、第２方向Ｙに沿って直線的に延出している。あるいは、主共通電極ＣＡは、ソース配線Ｓとそれぞれ対向するとともに主画素電極ＰＡと略平行に延出している。このような主共通電極ＣＡは、第１方向Ｘに沿って略同一の幅を有する帯状に形成されている。
【００３５】
図示した例では、主共通電極ＣＡは、第１方向Ｘに沿って２本平行に並んでおり、画素ＰＸの左右両端部にそれぞれ配置されている。以下では、これらの主共通電極ＣＡを区別するために、図中の左側の主共通電極をＣＡＬと称し、図中の右側の主共通電極をＣＡＲと称する。主共通電極ＣＡＬはソース配線Ｓ１と対向し、主共通電極ＣＡＲはソース配線Ｓ２と対向している。これらの主共通電極ＣＡＬ及び主共通電極ＣＡＲは、表示領域Ｒ１内あるいは表示領域Ｒ１外において互いに電気的に接続されている。
【００３６】
画素ＰＸにおいて、主共通電極ＣＡＬは左側端部に配置され、主共通電極ＣＡＲは右側端部に配置されている。厳密には、主共通電極ＣＡＬは当該画素ＰＸとその左側に隣接する画素との境界に跨って配置され、主共通電極ＣＡＲは当該画素ＰＸとその右側に隣接する画素との境界に跨って配置されている。
【００３７】
画素電極ＰＥと主共通電極ＣＡとの位置関係に着目すると、画素電極ＰＥと主共通電極ＣＡとは、第１方向Ｘに沿って交互に配置されている。これらの画素電極ＰＥと主共通電極ＣＡとは、互いに略平行に配置されている。このとき、Ｘ−Ｙ平面内において、主共通電極ＣＡのいずれも画素電極ＰＥとは重ならない。
【００３８】
すなわち、隣接する主共通電極ＣＡＬ及び主共通電極ＣＡＲの間には、１本の画素電極ＰＥが位置している。換言すると、主共通電極ＣＡＬ及び主共通電極ＣＡＲは、画素電極ＰＥの直上の位置を挟んだ両側に配置されている。あるいは、画素電極ＰＥは、主共通電極ＣＡＬと主共通電極ＣＡＲとの間に配置されている。このため、主共通電極ＣＡＬ、主画素電極ＰＡ、及び、主共通電極ＣＡＲは、第１方向Ｘに沿ってこの順に配置されている。
【００３９】
これらの画素電極ＰＥと共通電極ＣＥとの第１方向Ｘに沿った間隔は略一定である。すなわち、主共通電極ＣＡＬと主画素電極ＰＡとの第１方向Ｘに沿った間隔は、主共通電極ＣＡＲと主画素電極ＰＡとの第１方向Ｘに沿った間隔と略同等である。
【００４０】
図６は、図５の線ＶＩ−ＶＩで切断したときの断面構造を概略的に示す液晶表示パネルＬＰＮの断面図である。なお、ここでは、説明に必要な箇所のみを図示している。  
図６に示すように、液晶表示パネルＬＰＮを構成するアレイ基板ＡＲの背面側には、バックライトユニット４が配置されている。バックライトユニット４としては、種々の形態が適用可能であり、また、光源として発光ダイオード（ＬＥＤ）を利用したものや冷陰極管（ＣＣＦＬ）を利用したものなどのいずれでも適用可能であり、詳細な構造については説明を省略する。
【００４１】
アレイ基板ＡＲは、光透過性を有する第１絶縁基板１０を用いて形成されている。ソース配線Ｓは、第１層間絶縁膜１１の上に形成され、第２層間絶縁膜１２によって覆われている。なお、図示しないゲート配線や補助容量線は、例えば、第１絶縁基板１０と第１層間絶縁膜１１の間に配置されている。画素電極ＰＥは、第２層間絶縁膜１２の上に形成されている。この画素電極ＰＥは、隣合うソース配線Ｓのそれぞれの直上の位置よりもそれらの内側に位置している。
【００４２】
第１配向膜ＡＬ１は、アレイ基板ＡＲの対向基板ＣＴと対向する面に配置され、表示領域Ｒ１の略全体に亘って延在している。この第１配向膜ＡＬ１は、画素電極ＰＥなどを覆っており、第２層間絶縁膜１２の上にも配置されている。このような第１配向膜ＡＬ１は、水平配向性を示す材料によって形成されている。  
なお、アレイ基板ＡＲは、さらに、共通電極ＣＥの一部を備えていても良い。
【００４３】
対向基板ＣＴは、光透過性を有する第２絶縁基板２０を用いて形成されている。この対向基板ＣＴは、ブラックマトリクスＢＭ、カラーフィルタＣＦ、オーバーコート層ＯＣ、共通電極ＣＥ、第２配向膜ＡＬ２などを備えている。
【００４４】
ブラックマトリクスＢＭは、各画素ＰＸを区画し、画素電極ＰＥと対向する開口部ＡＰを形成する。すなわち、ブラックマトリクスＢＭは、ソース配線Ｓ、ゲート配線、補助容量線、スイッチング素子などの配線部に対向するように配置されている。ここでは、ブラックマトリクスＢＭは、第２方向Ｙに沿って延出した部分のみが図示されているが、第１方向Ｘに沿って延出した部分を備えていても良い。このブラックマトリクスＢＭは、第２絶縁基板２０のアレイ基板ＡＲに対向する内面２０Ａに配置されている。
【００４５】
カラーフィルタＣＦは、各画素ＰＸに対応して配置されている。すなわち、カラーフィルタＣＦは、第２絶縁基板２０の内面２０Ａにおける開口部ＡＰに配置されるとともに、その一部がブラックマトリクスＢＭに乗り上げている。第１方向Ｘに隣接する画素ＰＸにそれぞれ配置されたカラーフィルタＣＦは、互いに色が異なる。例えば、カラーフィルタＣＦは、赤色、青色、緑色といった３原色にそれぞれ着色された樹脂材料によって形成されている。赤色に着色された樹脂材料からなる赤色カラーフィルタＣＦＲは、赤色画素に対応して配置されている。青色に着色された樹脂材料からなる青色カラーフィルタＣＦＢは、青色画素に対応して配置されている。緑色に着色された樹脂材料からなる緑色カラーフィルタＣＦＧは、緑色画素に対応して配置されている。これらのカラーフィルタＣＦ同士の境界は、ブラックマトリクスＢＭと重なる位置にある。
【００４６】
オーバーコート層ＯＣは、カラーフィルタＣＦを覆っている。このオーバーコート層ＯＣは、カラーフィルタＣＦの表面の凹凸の影響を緩和する。
【００４７】
共通電極ＣＥは、オーバーコート層ＯＣのアレイ基板ＡＲと対向する側に形成されている。この共通電極ＣＥと画素電極ＰＥとの第３方向Ｚに沿った間隔は略一定である。第３方向Ｚとは、第１方向Ｘ及び第２方向Ｙに直交する方向、あるいは、液晶表示パネルＬＰＮの法線方向である。
【００４８】
第２配向膜ＡＬ２は、対向基板ＣＴのアレイ基板ＡＲと対向する面に配置され、表示領域Ｒ１の略全体に亘って延在している。この第２配向膜ＡＬ２は、共通電極ＣＥ及びオーバーコート層ＯＣなどを覆っている。このような第２配向膜ＡＬ２は、水平配向性を示す材料によって形成されている。
【００４９】
これらの第１配向膜ＡＬ１及び第２配向膜ＡＬ２には、液晶層ＬＱの液晶分子を初期配向させるための配向処理（例えば、ラビング処理や光配向処理）がなされている。第１配向膜ＡＬ１が液晶分子を初期配向させる第１配向処理方向ＰＤ１、及び、第２配向膜ＡＬ２が液晶分子を初期配向させる第２配向処理方向ＰＤ２は、互いに平行であって、互いに逆向きあるいは同じ向きである。例えば、これらの第１配向処理方向ＰＤ１及び第２配向処理方向ＰＤ２は、図５に示したように、第２方向Ｙと略平行であって、同じ向きである。
【００５０】
上述したようなアレイ基板ＡＲと対向基板ＣＴとは、それぞれの第１配向膜ＡＬ１及び第２配向膜ＡＬ２が対向するように配置されている。このとき、アレイ基板ＡＲの第１配向膜ＡＬ１と対向基板ＣＴの第２配向膜ＡＬ２との間には、例えば、樹脂材料によって一方の基板に一体的に形成された柱状スペーサが配置され、これにより、所定のセルギャップ、例えば２〜７μｍのセルギャップが形成される。アレイ基板ＡＲと対向基板ＣＴとは、所定のセルギャップが形成された状態で、表示領域Ｒ１の外側のシール材ＳＢによって貼り合わせられている。
【００５１】
液晶層ＬＱは、アレイ基板ＡＲと対向基板ＣＴとの間に形成されたセルギャップに保持され、第１配向膜ＡＬ１と第２配向膜ＡＬ２との間に配置されている。このような液晶層ＬＱは、例えば正の誘電率異方性を有し、すなわちｐ型液晶で形成されている。
【００５２】
アレイ基板ＡＲの外面、つまり、アレイ基板ＡＲを構成する第１絶縁基板１０の外面１０Ｂには、第１光学素子ＯＤ１が接着剤などにより貼付されている。この第１光学素子ＯＤ１は、液晶表示パネルＬＰＮのバックライトユニット４と対向する側に位置しており、バックライトユニット４から液晶表示パネルＬＰＮに入射する入射光の偏光状態を制御する。この第１光学素子ＯＤ１は、第１偏光軸（あるいは第１吸収軸）ＡＸ１を有する第１偏光板ＰＬ１を含んでいる。
【００５３】
対向基板ＣＴの外面、つまり、対向基板ＣＴを構成する第２絶縁基板２０の外面２０Ｂには、第２光学素子ＯＤ２が接着剤などにより貼付されている。この第２光学素子ＯＤ２は、液晶表示パネルＬＰＮの表示面側に位置しており、液晶表示パネルＬＰＮから出射した出射光の偏光状態を制御する。この第２光学素子ＯＤ２は、第２偏光軸（あるいは第２吸収軸）ＡＸ２を有する第２偏光板ＰＬ２を含んでいる。
【００５４】
例えば、第１偏光板ＰＬ１及び第２偏光板ＰＬ２はクロスニコル配置され、第１偏光軸ＡＸ１と第２偏光軸ＡＸ２とは直交する位置関係にある。このとき、一方の偏光板は、例えば、その偏光軸が液晶分子の初期配向方向つまり第１配向処理方向ＰＤ１あるいは第２配向処理方向ＰＤ２と平行または直交するように配置されている。初期配向方向が第２方向Ｙと平行である場合、一方の偏光板の偏光軸は、第２方向Ｘと平行、あるいは、第１方向Ｘと平行である。
【００５５】
図５において、（ａ）で示した例では、第１偏光板ＰＬ１は、その第１偏光軸ＡＸ１が液晶分子ＬＭの初期配向方向（第２方向Ｙ）に対して直交する（つまり、第１方向Ｘに平行となる）ように配置され、また、第２偏光板ＰＬ２は、その第２偏光軸ＡＸ２が液晶分子ＬＭの初期配向方向に対して平行となる（つまり、第２方向Ｙと平行となる）ように配置されている。
【００５６】
また、図５において、（ｂ）で示した例では、第２偏光板ＰＬ２は、その第２偏光軸ＡＸ２が液晶分子ＬＭの初期配向方向（第２方向Ｙ）に対して直交する（つまり、第１方向Ｘに平行となる）ように配置され、また、第１偏光板ＰＬ１は、その第１偏光軸ＡＸ１が液晶分子ＬＭの初期配向方向に対して平行となる（つまり、第２方向Ｙと平行となる）ように配置されている。
【００５７】
次に、上記構成の液晶表示パネルＬＰＮの動作について説明する。  
図５及び図６に示すように、液晶層ＬＱに電圧が印加されていない状態、つまり、画素電極ＰＥと共通電極ＣＥとの間に電位差（あるいは電界）が形成されていない状態（ＯＦＦ時）には、液晶層ＬＱの液晶分子ＬＭは、その長軸が第１配向膜ＡＬ１の第１配向処理方向ＰＤ１及び第２配向膜ＡＬ２の第２配向処理方向ＰＤ２を向くように配向している。このようなＯＦＦ時が初期配向状態に相当し、ＯＦＦ時の液晶分子ＬＭの配向方向が初期配向方向に相当する。
【００５８】
なお、厳密には、液晶分子ＬＭは、Ｘ−Ｙ平面に平行に配向しているとは限らず、プレチルトしている場合が多い。このため、ここでの液晶分子ＬＭの初期配向方向とは、ＯＦＦ時の液晶分子ＬＭの長軸をＸ−Ｙ平面に正射影した方向である。以下では、説明を簡略にするために、液晶分子ＬＭは、Ｘ−Ｙ平面に平行に配向しているものとし、Ｘ−Ｙ平面と平行な面内で回転するものとして説明する。
【００５９】
ここでは、第１配向処理方向ＰＤ１及び第２配向処理方向ＰＤ２は、ともに第２方向Ｙと略平行な方向である。ＯＦＦ時においては、液晶分子ＬＭは、図５に破線で示したように、その長軸が第２方向Ｙと略平行な方向に初期配向する。つまり、液晶分子ＬＭの初期配向方向は、第２方向Ｙと平行（あるいは、第２方向Ｙに対して０°）である。
【００６０】
図示した例のように、第１配向処理方向ＰＤ１及び第２配向処理方向ＰＤ２が平行且つ同じ向きである場合、液晶層ＬＱの断面において、液晶分子ＬＭは、液晶層ＬＱの中間部付近で略水平（プレチルト角が略ゼロ）に配向し、ここを境界として第１配向膜ＡＬ１の近傍及び第２配向膜ＡＬ２の近傍において対称となるようなプレチルト角を持って配向する（スプレイ配向）。
【００６１】
ここで、第１配向膜ＡＬ１に第１配向処理方向ＰＤ１に沿って配向処理を施した結果、第１配向膜ＡＬ１の近傍における液晶分子ＬＭは第１配向処理方向ＰＤ１に初期配向され、第２配向膜ＡＬ２に第２配向処理方向ＰＤ２に沿って配向処理を施した結果、第２配向膜ＡＬ２の近傍における液晶分子ＬＭは第２配向処理方向ＰＤ１に初期配向される。そして、第１配向処理方向ＰＤ１と第２配向処理方向ＰＤ２が互いに平行で且つ同じ向きである場合には、上述のように液晶分子ＬＭはスプレイ配向になり、上記したように液晶層ＬＱの中間部を境界として、アレイ基板ＡＲ上の第１配向膜ＡＬ１の近傍での液晶分子ＬＭの配向と対向基板ＣＴ上の第２配向膜ＡＬ２の近傍での液晶分子ＬＭの配向は、上下で対称となる。このため、基板の法線方向から傾いた方向においても光学的に補償される。したがって、第１配向処理方向ＰＤ１及び第２配向処理方向ＰＤ２が互いに平行、且つ、同じ向きである場合には、黒表示の場合に光漏れが少なく、高コントラスト比を実現することができ、表示品位を向上することが可能となる。
【００６２】
なお、第１配向処理方向ＰＤ１及び第２配向処理方向ＰＤ２が互いに平行且つ逆向きである場合、液晶層ＬＱの断面において、液晶分子ＬＭは、第１配向膜ＡＬ１の近傍、第２配向膜ＡＬ２の近傍、及び、液晶層ＬＱの中間部において略均一なプレチルト角を持って配向する（ホモジニアス配向）。
【００６３】
バックライトユニット４からのバックライトは、その一部が第１偏光板ＰＬ１を透過し、液晶表示パネルＬＰＮに入射する。液晶表示パネルＬＰＮに入射した光の偏光状態は、液晶層ＬＱを通過する際に液晶分子ＬＭの配向状態によって異なる。ＯＦＦ時においては、液晶層ＬＱを通過した光は、第２偏光板ＰＬ２によって吸収される（黒表示）。
【００６４】
一方、液晶層ＬＱに電圧が印加された状態、つまり、画素電極ＰＥと共通電極ＣＥとの間に電位差（あるいは電界）が形成された状態（ＯＮ時）では、画素電極ＰＥと共通電極ＣＥとの間に基板と略平行な横電界が形成される。液晶分子ＬＭは、電界の影響を受け、その長軸が図中の実線で示したようにＸ−Ｙ平面と略平行な平面内で回転する。
【００６５】
図５に示した例では、画素電極ＰＥと主共通電極ＣＡＬとの間の領域内の液晶分子ＬＭは、第２方向Ｙに対して時計回りに回転し、図中の左下を向くように配向する。画素電極ＰＥと主共通電極ＣＡＲとの間の領域内の液晶分子ＬＭは、第２方向Ｙに対して反時計回りに回転し、図中の右下を向くように配向する。
【００６６】
このように、各画素ＰＸにおいて、画素電極ＰＥと共通電極ＣＥとの間に電界が形成された状態では、液晶分子ＬＭの配向方向は、画素電極ＰＥと重なる位置を境界として複数の方向に分かれ、それぞれの配向方向でドメインを形成する。つまり、一画素ＰＸには、複数のドメインが形成される。
【００６７】
上記のように、液晶層ＬＱはｐ型液晶で形成されているため、液晶分子ＬＭの長軸は斜め電界に沿った方向に配向する。また、Ｘ−Ｙ平面内においてＸ軸からの角度を方位角とし、Ｘ−Ｙ平面に対して法線方向をＺ軸とすると、このＺ軸からの角度を極角とする。そして、電極間に電圧が印加されると画素電極ＰＥと共通電極ＣＥ間に横電界が生じ、この横電界は、例えば図５においては、画素電極ＰＡに対して左右対称に生じる。また、画素電極ＰＥの延出方向である第２方向に平行な第１配向処理方向と共通電極ＣＥの延出方向である第２方向に平行な第２配向処理方向により、上記横電界が生じた場合に液晶分子は画素電極ＰＡに対して左右対称に配向する。すなわち、画素電極と共通電極との間にある液晶分子は、電界が生じた場合に常に一義的に配向方向が定まる。これにより、液晶分子ＬＭの極角及び方位角の両方を規定することができることから、液晶分子の配向規制力（配向強度）は強いものである。尚、画素電極、あるいは、共通電極の任意の対称軸に対して第１配向処理方向、第２配向処理方向が平行である場合には、上記と同様に液晶分子ＬＭの極角及び方位角の両方を規定することができる。
【００６８】
ここで、本願発明者等が保護板４０の外面に外圧を加えてプーリングの発生について調査したところ、上記のように形成された液晶表示装置では、プーリングは全く発生しなかった。
【００６９】
また、本願発明者等は、比較例として、表示モードを、ＶＡ（Vertical Alignment）モード、ＭＶＡ（Multi-domain Vertical Alignment）モード、ＩＰＳ（In-Plane Switching）モード及びＦＦＳ（Fringe Field Switching）モードに替えた上記液晶表示装置を作製し、これらの液晶表示装置にプーリングが発生するかどうかにつても調査した。調査したところ、何れの表示モードの液晶表示装置においても、外圧を加えるとプーリングが発生する結果となった。
【００７０】
上記のようなＯＮ時には、バックライトユニット４から液晶表示パネルＬＰＮに入射したバックライトは、その一部が第１偏光板ＰＬ１を透過し、液晶表示パネルＬＰＮに入射する。液晶層ＬＱに入射したバックライトは、その偏光状態が変化する。このようなＯＮ時においては、液晶層ＬＱを通過した少なくとも一部の光は、第２偏光板ＰＬ２を透過する（白表示）。
【００７１】
図７は、図５に示した液晶表示パネルＬＰＮにおける画素電極ＰＥと共通電極ＣＥとの間に形成される電界、及び、この電界による液晶分子ＬＭのダイレクタと透過率との関係を説明するための図である。
【００７２】
図７に示すように、ＯＦＦ状態では、液晶分子ＬＭは、第２方向Ｙに略平行な方向に初期配向している。画素電極ＰＥと共通電極ＣＥとの間に電位差が形成されたＯＮ状態では、液晶分子ＬＭのダイレクタ（あるいは液晶分子ＬＭの長軸方向）が、Ｘ−Ｙ平面内で、第１偏光板ＰＬ１の第１偏光軸ＡＸ１及び第２偏光板ＰＬ２の第２偏光軸ＡＸ２に対して概ね４５°ずれた状態となったときに、液晶の光学的な変調率が最も高くなる（つまり、開口部での透過率が最大となる）。
【００７３】
図示した例では、ＯＮ状態となったとき、主共通電極ＣＡＬと画素電極ＰＥとの間の液晶分子ＬＭのダイレクタはＸ−Ｙ平面内で４５°−２２５°の方位と略平行となり、主共通電極ＣＡＲと画素電極ＰＥとの間の液晶分子ＬＭのダイレクタはＸ−Ｙ平面内で１３５°−３１５°の方位と略平行となり、ピーク透過率が得られる。このとき、一画素あたりの透過率分布に着目すると、画素電極ＰＥ上及び共通電極ＣＥ上においては透過率が略ゼロとなる一方で、画素電極ＰＥと共通電極ＣＥとの間の電極間隙では、略全域に亘って高い透過率が得られる。
【００７４】
なお、ソース配線Ｓ１の直上に位置する主共通電極ＣＡＬ及びソース配線Ｓ２の直上に位置する主共通電極ＣＡＲは、それぞれブラックマトリクスＢＭと対向しているが、これらの主共通電極ＣＡＬ及び主共通電極ＣＡＲは、ともにブラックマトリクスＢＭの第１方向Ｘに沿った幅と同等以下の幅を有しており、ブラックマトリクスＢＭと重なる位置よりも画素電極ＰＥの側に延在していない。このため、一画素あたり、表示に寄与する開口部は、ブラックマトリクスＢＭの間もしくはソース配線Ｓ１とソース配線Ｓ２との間の領域のうち、画素電極ＰＥと主共通電極ＣＡＬ及び主共通電極ＣＡＲとの間の領域に相当する。
【００７５】
図８は、上記センシング基板３０の一部を示す拡大平面図である。図９は、図８の線ＩＸ−ＩＸに沿って示すセンシング基板３０の一部を示す断面図である。  
図３、図８及び図９に示すように、センシング基板３０の位置検出方式としては、静電容量方式を利用している。センシング基板３０は、保護板４０の表面側からの入力手段１００による入力位置情報を検出するものである。センシング基板３０は、透明な絶縁基板としてガラス基板３０Ｓを備えている。
【００７６】
センシング基板３０は、入力手段１００による入力により静電容量が変化する検知電極として、複数の第１検知電極３１と、複数の第２検知電極３２とを有している。センシング基板３０の電極パターンは、複数の第１検知電極３１及び複数の第２検知電極３２の他、複数の接続配線３６及び複数の接続配線３７も含んでいる。
【００７７】
第１検知電極３１、第２検知電極３２、接続配線３６及び接続配線３７は、入力領域Ｒ２内のガラス基板３０Ｓ上に配置され、保護板４０と対向し、透明な導電材料として、例えばＩＴＯ（インジウム・ティン・オキサイド）で形成されている。
【００７８】
複数の第１検知電極３１は、第１方向Ｘ及び第２方向Ｙに並べられている。第１検知電極３１は、それぞれ第１方向Ｘ及び第２方向Ｙに沿った対角線を持つ正方形である。第１検知電極３１は、第１方向Ｘに沿って対向し合う第１角部を有している。第１方向Ｘにおいて、隣合う第１角部同士は接続されている。
【００７９】
この実施形態において、第１検知電極３１の正方形の第１角部は潰れ第１短辺３３を有している。このため、第１検知電極３１は、第１短辺３３を有した六角形である。また、隣合う第１短辺３３同士は、接続配線３６を介して接続されている。接続配線３６は、ガラス基板３０Ｓ上に島状に配置されている。
【００８０】
互いに接続された複数の第１検知電極３１及び複数の接続配線３６は、第１方向Ｘに延出した第１配線Ｗ１を形成している。複数の第１配線Ｗ１は、第２方向Ｙに並べられている。複数の第１検知電極３１及び複数の接続配線３６は、互いに異なる製造工程で形成されている。第１配線Ｗ１を利用して静電容量の変化を検出することにより、入力位置のＸ座標を検出することができる。
【００８１】
複数の第２検知電極３２は、複数の第１検知電極３１に隙間を置いて第１方向Ｘ及び第２方向Ｙに並べられている。第２検知電極３２は、それぞれ第１方向Ｘ及び第２方向Ｙに沿った対角線を持つ正方形である。第２検知電極３２は、第２方向Ｙに沿って対向し合う第２角部を有している。第２方向Ｙにおいて、隣合う第２角部同士は接続されている。
【００８２】
この実施形態において、第２検知電極３２の正方形の第２角部は潰れ第２短辺３４を有している。このため、第２検知電極３２は、第２短辺３４を有した六角形である。また、隣合う第２短辺３４同士は、接続配線３７を介して接続されている。接続配線３７は、ガラス基板３０Ｓ上に島状に配置されている。
【００８３】
互いに接続された複数の第２検知電極３２及び複数の接続配線３７は、第２方向Ｙに延出した第２配線Ｗ２を形成している。複数の第２配線Ｗ２は、第１方向Ｘに並べられている。第２配線Ｗ２の複数の第２検知電極３２及び複数の接続配線３７は、同一の製造工程で一体に形成されている。第２配線Ｗ２を利用して静電容量の変化を検出することにより、入力位置のＹ座標を検出することができる。
【００８４】
第１検知電極３１及び第２検知電極３２間に、格子状のスリット３９が形成されている。  
ガラス基板３０Ｓ上には、複数の絶縁膜３８が島状に配置されている。複数の絶縁膜３８は、ガラス基板３０Ｓ上の複数の第１配線Ｗ１及び複数の第２配線Ｗ２の複数の交差部に配置され、複数の第１配線Ｗ１及び複数の第２配線Ｗ２間に介在されている。絶縁膜３８は、第１配線Ｗ１及び第２配線Ｗ２間の短絡を防止するものである。この実施形態において、絶縁膜３８は、有機絶縁材料で形成されている。
【００８５】
接続配線３６及び接続配線３７は、絶縁膜３８を介して対向している。ここで、第１配線Ｗ１（接続配線３６）は、第１配線Ｗ１及び第２配線Ｗ２の交差部上方に位置している。上記のことから、接続配線３６をブリッジ配線と言うことができる。
【００８６】
第１配線Ｗ１及び第２配線Ｗ２は、図示しない制御部に接続されている。制御部は、第１配線Ｗ１（第１検知電極３１）及び第２配線Ｗ２（第２検知電極３２）における静電容量の変化を取得することにより、入力位置情報（入力位置座標）を取得することができる。
【００８７】
以上のように構成された液晶表示装置によれば、液晶表示装置は、液晶表示パネルＬＰＮ、センシング基板３０、保護板４０、接着材５０、６０を備えている。液晶表示パネルＬＰＮは、画素電極ＰＥを有するアレイ基板ＡＲと、共通電極ＣＥを有した対向基板ＣＴと、液晶層ＬＱと、表示領域Ｒ１と、画素ＰＸと、を具備している。画素電極ＰＥは第２方向Ｙに長手方向を持つ主画素電極ＰＡを有している。共通電極ＣＥは第１方向Ｘに主画素電極ＰＡを挟んで位置し第２方向Ｙに長手方向を持つ一対の主共通電極ＣＡを有している。
【００８８】
液晶表示パネルＬＰＮ及びセンシング基板３０、並びにセンシング基板３０及び保護板４０は、それぞれスクリーンフィット方式にて接合されている。液晶表示パネルＬＰＮ、センシング基板３０及び保護板４０の外面（界面）における光の反射を低減することができるため、表示画像の見栄えの悪化を低減することができる。
【００８９】
液晶層ＬＱはｐ型液晶で形成され、液晶層ＬＱには斜め電界の成分をもつ横電界が印加される。液晶分子ＬＭの極角及び方位角の両方を規定することができ、液晶分子の配向規制力（配向強度）は強いものであるから、プーリングの発生を防止することができる。  
上記のことから、プーリングの発生し難い液晶表示装置を得ることができる。
【００９０】
対向基板ＣＴの外面側には、センシング基板３０の導電パターンが形成されている。この導電パターンにより、対向基板ＣＴの外面側における帯電を低減することができる。このため、対向基板ＣＴの外面側（第２絶縁基板２０の表面又は第２光学素子ＯＤ２の表面）に、ＩＴＯなどの材料で導電膜を形成するなどの帯電対策を施すこと無しに、上記帯電を低減することができる。
【００９１】
また、本実施形態によれば、画素電極ＰＥと共通電極ＣＥとの間の電極間隙において高い透過率が得られるため、一画素あたりの透過率を十分に高くするためには、画素電極ＰＥと主共通電極ＣＡＬ及び主共通電極ＣＡＲとの間の電極間距離を拡大することで対応することが可能となる。また、画素ピッチが異なる製品仕様に対しては、電極間距離を変更する（つまり、画素ＰＸの略中央に配置された画素電極ＰＥに対して主共通電極ＣＡの配置位置を変更する）ことで、図７に示したような透過率分布のピーク条件を利用することが可能となる。つまり、本実施形態の表示モードにおいては、比較的画素ピッチが大きな低解像度の製品仕様から比較的画素ピッチが小さい高解像度の製品仕様まで、微細な電極加工を必ずしも必要とせず、電極間距離の設定により種々の画素ピッチの製品を提供することが可能となる。したがって、高透過率且つ高解像度の要求を容易に実現することが可能となる。
【００９２】
また、本実施形態によれば、図７に示したように、ブラックマトリクスＢＭと重なる領域での透過率分布に着目すると、透過率が十分に低下している。これは、共通電極ＣＥの位置よりも当該画素の外側に電界の漏れが発生せず、また、ブラックマトリクスＢＭを挟んで隣接する画素間で不所望な横電界が生じないため、ブラックマトリクスＢＭと重なる領域の液晶分子がＯＦＦ時（あるいは黒表示時）と同様に初期配向状態を保っているためである。したがって、隣接する画素間でカラーフィルタの色が異なる場合であっても、混色の発生を抑制することが可能となり、色再現性の低下やコントラスト比の低下を抑制することが可能となる。
【００９３】
また、アレイ基板ＡＲと対向基板ＣＴとの合わせずれが生じた際に、画素電極ＰＥを挟んだ両側の共通電極ＣＥとの水平電極間距離に差が生じることがある。しかしながら、このような合わせずれは、全ての画素ＰＸに共通に生じるため、画素ＰＸ間での電界分布に相違はなく、画像の表示に及ぼす影響はきわめて小さい。また、例えアレイ基板ＡＲと対向基板ＣＴとの間で合わせズレが生じたとしても、隣接する画素への不所望な電界の漏れを抑制することが可能となる。このため、隣接する画素間でカラーフィルタの色が異なる場合であっても、混色の発生を抑制することが可能となり、色再現性の低下やコントラスト比の低下を抑制することが可能となる。
【００９４】
また、本実施形態によれば、主共通電極ＣＡは、それぞれソース配線Ｓと対向している。特に、主共通電極ＣＡＬ及び主共通電極ＣＡＲがそれぞれソース配線Ｓ１及びソース配線Ｓ２の直上に配置されている場合には、主共通電極ＣＡＬ及び主共通電極ＣＡＲがソース配線Ｓ１及びソース配線Ｓ２よりも画素電極ＰＥ側に配置された場合と比較して、開口部ＡＰを拡大することができ、画素ＰＸの透過率を向上することが可能となる。
【００９５】
また、主共通電極ＣＡＬ及び主共通電極ＣＡＲをそれぞれソース配線Ｓ１及びソース配線Ｓ２の直上に配置することによって、画素電極ＰＥと主共通電極ＣＡＬ及び主共通電極ＣＡＲとの間の電極間距離を拡大することが可能となり、より水平に近い横電界を形成することが可能となる。このため、従来の構成であるＩＰＳモード等の利点である広視野角化も維持することが可能となる。また、上記液晶表示装置は、高速応答性に優れ、上述したように配向安定性にも特化したものである。
【００９６】
また、本実施形態によれば、一画素内に複数のドメインを形成することが可能となる。このため、複数の方向で視野角を光学的に補償することができ、広視野角化が可能となる。
【００９７】
なお、ＯＮ時においても、画素電極ＰＥ上あるいは共通電極ＣＥ上では、横電界（斜め電界）はほとんど形成されない（あるいは、液晶分子ＬＭを駆動するのに十分な電界が形成されない）ため、液晶分子ＬＭは、ＯＦＦ時と同様に初期配向方向からほとんど動かない。このため、画素電極ＰＥ及び共通電極ＣＥがＩＴＯなどの光透過性の導電材料によって形成されていても、これらの領域ではバックライト光がほとんど透過せず、ＯＮ時において表示にほとんど寄与しない。したがって、画素電極ＰＥ及び共通電極ＣＥは、必ずしも透明な導電材料によって形成される必要はなく、アルミニウムや銀、銅などの導電材料を用いて形成しても良い。
【００９８】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。
【００９９】
例えば、上記の例では、液晶分子ＬＭの初期配向方向が第２方向Ｙと平行である場合について説明したが、液晶分子ＬＭの初期配向方向は、図５に示したように、第２方向Ｙを斜めに交差する斜め方向Ｄであっても良い。ここで、第２方向Ｙに対する初期配向方向Ｄのなす角度θ１は、０°より大きく４５°より小さい角度である。なお、角度θ１については、５°〜３０°程度、より望ましくは２０°以下とすることが液晶分子ＬＭの配向制御の観点で極めて有効である。つまり、液晶分子ＬＭの初期配向方向は、第２方向Ｙに対して０°乃至２０°の範囲内の方向と略平行であることが望ましい。
【０１００】
また、上記の例では、液晶層ＬＱが正（ポジ型）の誘電率異方性を有する液晶材料によって構成された場合について説明したが、液晶層ＬＱは、負の誘電率異方性を有し、すなわちｎ型液晶で形成されていてもよい。この場合、少なくとも画素電極ＰＥが、第１方向Ｘに延出して形成された副画素電極を有することにより、電界によって極角及び方位角の両方を規定でき、液晶分子の配向規制力を強くすることができるため、プーリングの発生を抑えることができる。但し、詳しい説明は省略するが、誘電率異方性が正負逆となる関係上、ｎ型液晶の場合、上記角度θ１が４５°〜９０°、望ましくは７０°以上とすることが好ましい。
【０１０１】
本実施形態において、画素ＰＸの構造は、図５に示した例に限定されるものではなく、種々変形可能である。  
図１０は、図４に示した液晶表示パネルＬＰＮを対向基板側から見たときの一画素ＰＸの他の構造例を概略的に示す平面図である。
【０１０２】
図１０に示すように、この構造例は、図５に示した構造例と比較して、画素電極ＰＥが十字状に形成された点、及び、共通電極ＣＥが一画素ＰＸを取り囲むように格子状に形成された点で相違している。
【０１０３】
すなわち、画素電極ＰＥは、互いに電気的に接続された主画素電極ＰＡ及び副画素電極ＰＢを備えている。主画素電極ＰＡは、第２方向Ｙに長手方向を持ち、副画素電極ＰＢから画素ＰＸの上側端部付近及び下側端部付近まで第２方向Ｙに沿って直線的に延出している。副画素電極ＰＢは、第１方向Ｘに沿って延出している。この副画素電極ＰＢは、補助容量線Ｃ１と重なる領域に位置し、コンタクトホールＣＨを介してスイッチング素子と電気的に接続されている。図示した例では、副画素電極ＰＢが画素ＰＸの略中央に設けられ、画素電極ＰＥは十字状に形成されている。
【０１０４】
共通電極ＣＥは、上記した主共通電極ＣＡの他に、第２方向Ｙに副画素電極ＰＢを挟んで位置し第１方向Ｘに延出して形成された一対の副共通電極ＣＢを有している。これらの主共通電極ＣＡ及び副共通電極ＣＢは、一体的あるいは連続的に形成されている。副共通電極ＣＢは、ゲート配線Ｇの各々と対向している。図示した例では、副共通電極ＣＢは第１方向Ｘに沿って２本平行に並んでおり、以下では、これらを区別するために、図中の上側の副共通電極をＣＢＵと称し、図中の下側の副共通電極をＣＢＢと称する。副共通電極ＣＢＵは、画素ＰＸの上側端部に配置され、ゲート配線Ｇ１と対向している。つまり、副共通電極ＣＢＵは、当該画素ＰＸとその上側に隣接する画素との境界に跨って配置されている。また、副共通電極ＣＢＢは、画素ＰＸの下側端部に配置され、ゲート配線Ｇ２と対向している。つまり、副共通電極ＣＢＢは、当該画素ＰＸとその下側に隣接する画素との境界に跨って配置されている。
【０１０５】
画素電極ＰＥと共通電極ＣＥとの位置関係に着目すると、主画素電極ＰＡと主共通電極ＣＡとは第１方向Ｘに沿って交互に配置され、副画素電極ＰＢと副共通電極ＣＢとは第２方向Ｙに沿って交互に配置されている。すなわち、隣接する主共通電極ＣＡＬ及び主共通電極ＣＡＲの間には、１本の主画素電極ＰＡが位置し、第１方向Ｘに沿って主共通電極ＣＡＬ、主画素電極ＰＡ、及び、主共通電極ＣＡＲの順に並んでいる。また、隣接する副共通電極ＣＢＢ及び副共通電極ＣＢＵの間には、１本の副画素電極ＰＢが位置し、第２方向Ｙに沿って副共通電極ＣＢＢ、副画素電極ＰＢ、及び、副共通電極ＣＢＵの順に並んでいる。液晶層ＬＱはｐ型液晶で形成されている。
【０１０６】
このような構造例によれば、ＯＦＦ時において第２方向Ｙに初期配向していた液晶分子ＬＭは、ＯＮ時に画素電極ＰＥと共通電極ＣＥとの間に形成される電界の影響を受け、その長軸が図中の実線で示したようにＸ−Ｙ平面と略平行な平面内で回転する。画素電極ＰＥと主共通電極ＣＡＬ及び副共通電極ＣＢＢとで囲まれた領域内の液晶分子ＬＭは、第２方向Ｙに対して時計回りに回転し、図中の左下を向くように配向する。画素電極ＰＥと主共通電極ＣＡＲ及び副共通電極ＣＢＢとで囲まれた領域内の液晶分子ＬＭは、第２方向Ｙに対して反時計回りに回転し、図中の右下を向くように配向する。画素電極ＰＥと主共通電極ＣＡＬ及び副共通電極ＣＢＵとで囲まれた領域内の液晶分子ＬＭは、第２方向Ｙに対して反時計回りに回転し、図中の左上を向くように配向する。画素電極ＰＥと主共通電極ＣＡＲ及び副共通電極ＣＢＵとで囲まれた領域内の液晶分子ＬＭは、第２方向Ｙに対して時計回りに回転し、図中の右上を向くように配向する。
【０１０７】
このように、各画素ＰＸにおいて、画素電極ＰＥと共通電極ＣＥとの間に電界が形成された状態では、図５に示した例よりも多くのドメインを形成することが可能となり、視野角を拡大することが可能となり、また、図５に示した例よりも液晶分子の配向規制力を強くすることができる。  
また、図１０に示した画素ＰＸの構成では、液晶層ＬＱをｎ型液晶で形成してもよく、この場合も、十分に強い液晶分子の配向規制力を得ることができる。
【０１０８】
図１１は、図４に示した液晶表示パネルＬＰＮを対向基板側から見たときの一画素ＰＸの他の構造例を概略的に示す平面図である。  
図１１に示すように、画素電極ＰＥは、主画素電極ＰＡ、第１副画素電極ＰＢ、及び、第２副画素電極ＰＣを有している。これらの主画素電極ＰＡ、第１副画素電極ＰＢ、及び、第２副画素電極ＰＣは、互いに電気的に接続されている。本実施形態においては、画素電極ＰＥの全体がアレイ基板ＡＲに備えられている。
【０１０９】
主画素電極ＰＡは、第２方向Ｙに長手方向を持っている。第１副画素電極ＰＢ及び第２副画素電極ＰＣは、第１方向Ｘに沿って延出している。第２副画素電極ＰＣは、第１副画素電極ＰＢから離間している。
【０１１０】
図示した例では、画素電極ＰＥは、Ｉ字状に形成されている。より具体的には、主画素電極ＰＡは、略画素中央部において第２方向Ｙに沿って直線的に延出した帯状に形成されている。第１副画素電極ＰＢ及び第２副画素電極ＰＣは、それぞれ画素ＰＸの上側端部及び下側端部において第１方向Ｘに沿って直線的に延出した帯状に形成されている。
【０１１１】
なお、第１副画素電極ＰＢ及び第２副画素電極ＰＣは、上下画素間に配置されても良い。つまり、第１副画素電極ＰＢは図示した当該画素ＰＸとその下側の画素（図示せず）との境界に跨って配置されても良いし、第２副画素電極ＰＣは図示した当該画素ＰＸとその上側の画素（図示せず）との境界に跨って配置されてもよい。
【０１１２】
第１副画素電極ＰＢは、主画素電極ＰＡの一端部に結合し、主画素電極ＰＡからその両側に向かって延出している。第２副画素電極ＰＣは主画素電極ＰＡの他端部に結合し、主画素電極ＰＡからその両側に向かって延出している。これらの第１副画素電極ＰＢ及び第２副画素電極ＰＣは、主画素電極ＰＡと略直交している。なお、第１副画素電極ＰＢは主画素電極ＰＡの一端部よりもわずかに他端部寄りに結合していても良いし、同様に、第２副画素電極ＰＣは主画素電極ＰＡの他端部よりもわずかに一端部寄りに結合していても良い。画素電極ＰＥは、例えば、第２副画素電極ＰＣにおいて図示を省略したスイッチング素子と電気的に接続されている。
【０１１３】
共通電極ＣＥは、主共通電極ＣＡ及び副共通電極ＣＢを有している。これらの主共通電極ＣＡ及び副共通電極ＣＢは、互いに電気的に接続されている。このような共通電極ＣＥは、画素電極ＰＥとは電気的に絶縁されている。本実施形態においては、共通電極ＣＥにおいて、主共通電極及び副共通電極の少なくとも一部は、対向基板ＣＴに備えられている。
【０１１４】
一対の主共通電極ＣＡは、第１方向Ｘに主画素電極ＰＡを挟んで位置し第２方向Ｙに長手方向を持っている。Ｘ−Ｙ平面内において、主共通電極ＣＡのいずれも主画素電極ＰＡとは重ならず、主共通電極ＣＡのそれぞれと主画素電極ＰＡとの間には略等しい間隔が形成されている。
【０１１５】
副共通電極ＣＢは、第１方向Ｘに沿って延出している。副共通電極ＣＢは、第１副画素電極ＰＢと第２副画素電極ＰＣとの間に配置されている。Ｘ−Ｙ平面内において、第１副画素電極ＰＢ及び第２副画素電極ＰＣのいずれも副共通電極ＣＢとは重ならず、第１副画素電極ＰＢ及び第２副画素電極ＰＣのそれぞれと副共通電極ＣＢとの間には略等しい間隔が形成されている。
【０１１６】
図示した例では、主共通電極ＣＡは、第２方向Ｙに沿って直線的に延出した帯状に形成されている。副共通電極ＣＢは、第１方向Ｘに沿って直線的に延出した帯状に形成されている。なお、主共通電極ＣＡは第１方向Ｘに沿って２本平行に並んでおり、以下では、これらを区別するために、図中の左側の主共通電極をＣＡＬと称し、図中の右側の主共通電極をＣＡＲと称する。主共通電極ＣＡＬ及び主共通電極ＣＡＲは、副共通電極ＣＢとそれぞれ繋がっている。
【０１１７】
主共通電極ＣＡＬ及び主共通電極ＣＡＲは左右画素間に配置されている。すなわち、主共通電極ＣＡＬは図示した当該画素ＰＸとその左側の画素（図示せず）との境界に跨って配置され、主共通電極ＣＡＲは図示した当該画素ＰＸとその右側の画素（図示せず）との境界に跨って配置されている。
【０１１８】
隣接する主共通電極ＣＡＬ及び主共通電極ＣＡＲの間には、１本の主画素電極ＰＡが位置している。このため、主共通電極ＣＡＬ、主画素電極ＰＡ、及び、主共通電極ＣＡＲは、第１方向Ｘに沿ってこの順に配置されている。つまり、主画素電極ＰＡと主共通電極ＣＡとは第１方向Ｘに沿って交互に配置されている。これらの主画素電極ＰＡと、主共通電極ＣＡＬ及び主共通電極ＣＡＲとは、互いに略平行に配置されている。また、主共通電極ＣＡＬと主画素電極ＰＡとの距離は、主共通電極ＣＡＲと主画素電極ＰＡとの距離と略同等である。
【０１１９】
隣接する第１副画素電極ＰＢ及び第２副画素電極ＰＣの間には、１本の副共通電極ＣＢが位置している。このため、第１副画素電極ＰＢ、副共通電極ＣＢ、及び、第２副画素電極ＰＣは、第２方向Ｙに沿ってこの順に配置されている。つまり、第１副画素電極ＰＢ及び第２副画素電極ＰＣと副共通電極ＣＢとは第２方向Ｙに沿って交互に配置されている。これらの第１副画素電極ＰＢ、副共通電極ＣＢ、及び、第２副画素電極ＰＣは、互いに略平行に配置されている。また、第１副画素電極ＰＢと副共通電極ＣＢとの距離は、第２副画素電極ＰＣと副共通電極ＣＢとの距離と略同等である。
【０１２０】
つまり、図示した例では、一画素ＰＸにおいて、画素電極ＰＥと共通電極ＣＥとで区画された４つの領域（主として表示に寄与する開口部あるいは透過部）が形成される。  
ここに示した例では、液晶分子ＬＭの初期配向方向は、例えば、第２方向Ｙと略平行な方向である。
【０１２１】
なお、ここでは詳述しないが、主共通電極ＣＡの少なくとも１つは、主共通電極ＣＡと略平行に（あるいは第２方向Ｙに沿って）延出するソース配線Ｓと対向していてもよい。また、第１副画素電極ＰＢ、第２副画素電極ＰＣ、及び、副共通電極ＣＢのいずれか１つは、これらと略平行に（あるいは第１方向Ｘに沿って）延出するゲート配線Ｇや補助容量線Ｃと対向していてもよい。
【０１２２】
液晶層ＬＱはｐ型液晶で形成されている。このように、各画素ＰＸにおいて、画素電極ＰＥと共通電極ＣＥとの間に電界が形成された状態では、図５に示した例よりも多くのドメインを形成することが可能となり、視野角を拡大することが可能となり、また、図５に示した例よりも液晶分子の配向規制力を強くすることができる。  
また、図１１に示した画素ＰＸの構成では、液晶層ＬＱをｎ型液晶で形成してもよく、この場合も、十分に強い液晶分子の配向規制力を得ることができる。
【０１２３】
図１２は、図４に示した液晶表示パネルＬＰＮを対向基板側から見たときの一画素ＰＸの他の構造例を概略的に示す平面図である。  
図１２に示すように、画素ＰＸは、画素電極ＰＥ以外、図１０に示した画素と同様に形成されている。画素電極ＰＥは、主画素電極ＰＡ及び副画素電極ＰＣを有している。これらの主画素電極ＰＡ及び副画素電極ＰＣは、互いに電気的に接続されている。本実施形態においては、画素電極ＰＥの全体がアレイ基板ＡＲに備えられている。
【０１２４】
主画素電極ＰＡは、第２方向Ｙに長手方向を持っている。副画素電極ＰＣは、第１方向Ｘに沿って延出している。より具体的には、主画素電極ＰＡは、略画素中央部において第２方向Ｙに沿って直線的に延出した帯状に形成されている。副画素電極ＰＣは、画素ＰＸの上側端部において第１方向Ｘに沿って直線的に延出した帯状に形成されている。なお、副画素電極ＰＣは、上下画素間に配置されても良い。つまり、副画素電極ＰＣは、図示した当該画素ＰＸとその上側の画素（図示せず）との境界に跨って配置されても良い。
【０１２５】
この副画素電極ＰＣは、主画素電極ＰＡの一端部に結合し、主画素電極ＰＡからその両側に向かって延出している。このような副画素電極ＰＣは、主画素電極ＰＡと略直交している。なお、副画素電極ＰＣは、主画素電極ＰＡの一端部よりも他端部寄りに結合していても良い。画素電極ＰＥは、例えば、この副画素電極ＰＣにおいて図示を省略したスイッチング素子と電気的に接続されている。図示した例では、画素電極ＰＥは、Ｔ字状に形成されている。
【０１２６】
上記のように構成された画素ＰＸでは、画素ＰＸの右側に２つのドメイン（図１０で言う右上のドメイン及び左下のドメイン）を持つことができ、画素ＰＸの左側に２つのドメイン（図１０で言う左上のドメイン及び右下のドメイン）を持つことができる。
【０１２７】
液晶層ＬＱはｎ型液晶で形成されている。このように、各画素ＰＸにおいて、画素電極ＰＥと共通電極ＣＥとの間に電界が形成された状態では、図５に示した例よりも多くのドメインを形成することが可能となり、視野角を拡大することが可能となり、また、図５に示した例よりも液晶分子の配向規制力を強くすることができる。なお、図１２に示した画素ＰＸの構成では、液晶層ＬＱをｐ型液晶で形成してもよく、この場合は、さらに強い液晶分子の配向規制力を得ることができる。
【０１２８】
図１３は、図４に示した液晶表示パネルＬＰＮを対向基板側から見たときの一画素ＰＸの他の構造例を概略的に示す平面図である。  
図１３に示すように、画素電極ＰＥは、第１主画素電極ＰＦ及び第２主画素電極ＰＧを含んでいる。画素電極ＰＥは第２方向Ｙに長手方向を持っている。
【０１２９】
以下に、より具体的に説明する。ここでは、初期配向方向が第１方向Ｘに相当し、初期配向方向に対して左回りに鋭角に交差する第１交差線方向が第３方向Ｄ３に相当し、初期配向方向に対して右回りに鋭角に交差する第２交差線方向が第４方向Ｄ４に相当する場合を例に説明する。
【０１３０】
第１主画素電極ＰＦは、第１交差線方向つまり第３方向Ｄ３に沿って延出した帯状である。第２主画素電極ＰＧは、第２交差線方向つまり第４方向Ｄ４に沿って延出した帯状である。これらの第１主画素電極ＰＦ及び第２主画素電極ＰＧは、それぞれの端部で繋がっている。このため、画素電極ＰＥは、くの字状（Ｖ字状）に形成されている。
【０１３１】
共通電極ＣＥは、第１方向Ｘ及び第２方向Ｙとは異なる方向に延出した第１主共通電極ＣＦ及び第２主共通電極ＣＧを含んでいる。第１主共通電極ＣＦは、第１交差線方向つまり第３方向Ｄ３に沿って延出した帯状である。第２主共通電極ＣＧは、第２交差線方向つまり第４方向Ｄ４に沿って延出した帯状である。これらの第１主共通電極ＣＦ及び第２主共通電極ＣＧは、それぞれの端部で繋がっている。このため、共通電極ＣＥは、画素電極ＰＥと同様、くの字状（Ｖ字状）に形成されている。
【０１３２】
なお、図示した第１主共通電極ＣＦは第１方向Ｘに沿って２本並んでおり、以下では、これらを区別するために、図中の左側の第１主共通電極をＣＦ１と称し、図中の右側の第１主共通電極をＣＦ２と称する。同様に、第２主共通電極ＣＧも第１方向Ｘに沿って２本並んでおり、以下では、これらを区別するために、図中の左側の第２主共通電極をＣＧ１と称し、図中の右側の第２主共通電極をＣＧ２と称する。第１主共通電極ＣＦ１と第２主共通電極ＣＧ１とが繋がっており、第１主共通電極ＣＦ２と第２主共通電極ＣＧ２とが繋がっている。これらの第１主共通電極ＣＦ１及びＣＦ２、及び、第２主共通電極ＣＧ１及びＣＧ２は、すべて電気的に接続されている。つまり、共通電極ＣＥは、櫛歯状に形成されている。
【０１３３】
隣合う第１主共通電極ＣＦ１及びＣＦ２の間には、１本の第１主画素電極ＰＦが位置している。つまり、第１主共通電極ＣＦ１及びＣＦ２は、１本の第１主画素電極ＰＦを挟んで両側に配置されている。このため、第１方向Ｘに沿って、第１主共通電極ＣＦ１、第１主画素電極ＰＦ、及び、第１主共通電極ＣＦ２と交互に配置されている。これらの第１主画素電極ＰＦ及び第１主共通電極ＣＦ１及びＣＦ２は、互いに平行に配置されている。また、第１主共通電極ＣＦ１と第１主画素電極ＰＦとの距離は、第１主共通電極ＣＦ２と第１主画素電極ＰＦとの距離と略同等である。
【０１３４】
隣合う第２主共通電極ＣＧ１及びＣＧ２の間には、１本の第２主画素電極ＰＧが位置している。つまり、第２主共通電極ＣＧ１及びＣＧ２は、１本の第２主画素電極ＰＧを挟んで両側に配置されている。このため、第１方向Ｘに沿って、第２主共通電極ＣＧ１、第２主画素電極ＰＧ、及び、第２主共通電極ＣＧ２と交互に配置されている。これらの第２主画素電極ＰＧ及び第２主共通電極ＣＧ１及びＣＧ２は、互いに平行に配置されている。また、第２主共通電極ＣＧ１と第２主画素電極ＰＧとの距離は、第２主共通電極ＣＧ２と第２主画素電極ＰＧとの距離と略同等である。
【０１３５】
ここで、初期配向方向と第１交差線方向とのなす角度、つまり、第１方向Ｘと第３方向Ｄ３とのなす角度θ２、及び、初期配向方向と第２交差線方向とのなす角度、つまり、第１方向Ｘと第４方向Ｄ４とのなす角度θ３は、０°より大きく４５°より小さい角度であることが望ましい。また、角度θ２が角度θ３と同一角度であっても良い。この場合、第１主画素電極ＰＦの長さと第２主画素電極ＰＧの長さが同一であるとき、画素電極ＰＥは、第１方向Ｘに沿った第１主画素電極ＰＦと第２主画素電極ＰＧとの境界線に対して線対称の形状となる。また、この場合、第１主共通電極ＣＦ１の長さと第２主共通電極ＣＧ１の長さが同一であり、また、第１主共通電極ＣＦ２の長さと第２主共通電極ＣＧ２の長さが同一であるとき、共通電極ＣＥは、第１方向Ｘに沿った第１主共通電極ＣＦと第２主共通電極ＣＧとの境界線に対して線対称の形状となる。
【０１３６】
また、この初期配向方向は、画素電極ＰＴの線対称軸及び共通電極ＣＥの線対称軸と平行である。このように配向処理方向を電極の対称軸と平行にすることにより、電圧印加時に液晶分子が電極の対称軸に対して対称に配向するため、液晶分子の配向が一義的に定まり上述のようにプーリングの発生を抑制することが出来る。
【０１３７】
液晶層ＬＱはｐ型液晶で形成されている。このように、各画素ＰＸにおいて、画素電極ＰＥと共通電極ＣＥとの間に電界が形成された状態では、図５に示した例よりも多くのドメインを形成することが可能となり、視野角を拡大することが可能となり、また、図５に示した例よりも液晶分子の配向規制力を強くすることができる。
【０１３８】
共通電極ＣＥは、さらに電極を備えていてもよい。例えば、図５及び図６に示す画素ＰＸを例に説明すると、共通電極ＣＥは、対向基板ＣＴに備えられた主共通電極ＣＡに加えて、アレイ基板ＡＲに備えられ主共通電極ＣＡと対向する（あるいはソース配線Ｓと対向する）第２主共通電極（シールド電極）を備えていても良い。この第２主共通電極は、主共通電極ＣＡと略平行に延出し、しかも、主共通電極ＣＡと同電位である。このような第２主共通電極を設けることにより、ソース配線Ｓからの不所望な電界をシールドすることが可能である。
【０１３９】
また、共通電極ＣＥは、対向基板ＣＴに備えられた主共通電極ＣＡに加えて、アレイ基板ＡＲに備えられゲート配線Ｇや補助容量線Ｃと対向する副共通電極（シールド電極）を備えていても良い。この副共通電極は、主共通電極ＣＡと交差する方向に延出し、しかも、主共通電極ＣＡと同電位である。このような副共通電極を設けたことにより、ゲート配線Ｇや補助容量線Ｃからの不所望な電界をシールドすることが可能である。このような第２主共通電極や副共通電極を備えた構成によれば、更なる表示品位の劣化を抑制することが可能となる。
【０１４０】
液晶表示装置は、保護板４０無しに形成されていてもよい。この場合、センシング基板３０（ガラス基板３０Ｓ）が保護板として機能するように用いることができる。
以下に、本願出願の当初の特許請求の範囲に記載された発明を付記する。
［１］画素電極を有した第１基板と、共通電極を有した第２基板と、前記第１基板及び第２基板間に挟持された液晶層と、前記第１基板、第２基板及び液晶層に重なった表示領域と、前記表示領域に設けられ第１方向に沿った長さが第１方向に直交する第２方向に沿った長さよりも短く前記画素電極及び共通電極で形成された画素と、を具備し、前記画素電極は前記第２方向に長手方向を持つ主画素電極を有し、前記共通電極は前記第１方向に前記主画素電極を挟んで位置し前記第２方向に長手方向を持つ一対の主共通電極を有した液晶表示パネルと、
前記表示領域に重なった入力領域を有し、前記入力領域に入力された個所の位置情報を検出するセンシング基板と、
前記表示領域及び入力領域に重ねられ、前記液晶表示パネル及びセンシング基板間に位置し、前記液晶表示パネル及びセンシング基板を接合する接着材と、を備えたことを特徴とする液晶表示装置。
［２］前記液晶層は、正の誘電率異方性を有していることを特徴とする［１］に記載の液晶表示装置。
［３］前記第１基板には前記画素電極を覆う第１配向膜を備え、前記第２基板には前記共通電極を覆う第２配向膜を備え、前記第１配向膜に配向処理した第１配向処理方向は前記画素電極の対称軸に対して平行であり、前記第２配向膜に配向処理した第２配向処理方向は前記共通電極の対称軸に対して平行であることを特徴とする［１］または［２］に記載の液晶表示装置。
［４］前記画素電極は、前記第１方向に延出して形成された副画素電極を有し、
前記共通電極は、前記第２方向に前記副画素電極を挟んで位置し前記第１方向に延出して形成された一対の副共通電極を有していることを特徴とする［２］または［３］に記載の液晶表示装置。
［５］前記液晶層は、負の誘電率異方性を有し、
前記画素電極は、前記第１方向に延出して形成された副画素電極を有し、
前記共通電極は、前記第２方向に前記副画素電極を挟んで位置し前記第１方向に延出して形成された一対の副共通電極を有していることを特徴とする［１］に記載の液晶表示装置。
［６］前記接着材は、可視光を透過する材料で形成されていることを特徴とする［１］に記載の液晶表示装置。
［７］前記センシング基板に対向した保護板と、
前記表示領域及び入力領域に重ねられ、前記センシング基板及び保護板間に位置し、前記センシング基板及び保護板を接合する他の接着材と、をさらに備えたことを特徴とする［１］に記載の液晶表示装置。
【符号の説明】
【０１４１】
ＬＰＮ…液晶表示パネル、ＡＲ…アレイ基板、ＣＴ…対向基板、ＬＱ…液晶層、ＬＭ…液晶分子、ＰＸ…画素、ＰＥ…画素電極、ＰＡ，ＰＦ，ＰＧ…主画素電極、ＰＢ，ＰＣ…副画素電極、ＣＥ…共通電極、ＣＡ…主共通電極、ＣＢ…副共通電極、ＣＦ，ＣＧ…主共通電極、Ｒ１…表示領域、３０…センシング基板、３０Ｓ…ガラス基板、３１…第１検知電極、３２…第２検知電極、Ｒ２…入力領域、４０…保護板、５０，６０…接着材、１００…入力手段、Ｘ…第１方向、Ｙ…第２方向。
【図１】
0005647955.tif 000002
【図２】
0005647955.tif 000003
【図３】
0005647955.tif 000004
【図４】
0005647955.tif 000005
【図５】
0005647955.tif 000006
【図６】
0005647955.tif 000007
【図７】
0005647955.tif 000008
【図８】
0005647955.tif 000009
【図９】
0005647955.tif 000010
【図１０】
0005647955.tif 000011
【図１１】
0005647955.tif 000012
【図１２】
0005647955.tif 000013
【図１３】
0005647955.tif 000014